(57)【要約】【課題】無線通信の資源を有効利用する。【解決手段】通信回線の通信品質を特定する品質特定手段と、送信するべき第１の情報を符号化して符号化情報を生成する符号化手段と、通信品質に応じて、第１の情報を符号化した符号化情報に対して情報の誤りを加えることにより第１の情報に対して送信するべき第２の情報を合成した送信情報を生成する情報合成手段と、送信情報を送信する送信手段と、送信手段により送信された送信情報を受信する受信手段と、受信手段により受信した送信情報を復号することにより、送信情報の誤りを検出する誤り検出手段と、誤り検出の結果に基づいて、第２の情報を復元する情報復元手段と、誤り検出の結果に基づいて、誤りを訂正することにより第１の情報を復元する誤り訂正手段とを備える。【選択図】図１
2007202070.tif 000002
【特許請求の範囲】
【請求項１】
通信回線の通信品質を特定する品質特定手段と、
送信するべき第１の情報を符号化して符号化情報を生成する符号化手段と、
前記通信品質に応じて、前記第１の情報を符号化した前記符号化情報に対して情報の誤りを加えることにより前記第１の情報に対して送信するべき第２の情報を合成した送信情報を生成する情報合成手段と、
前記送信情報を送信する送信手段と、
前記送信手段により送信された前記送信情報を受信する受信手段と、
前記受信手段により受信した前記送信情報を復号することにより、前記送信情報の誤りを検出する誤り検出手段と、
前記誤り検出の結果に基づいて、前記第２の情報を復元する情報復元手段と、
前記誤り検出の結果に基づいて、誤りを訂正することにより前記第１の情報を復元する誤り訂正手段と
を備えたことを特徴とする無線通信装置。
【請求項２】
前記情報復元手段は、誤りが検出されたビット位置に基づいて、所定の情報を復元することを特徴とする請求項１に記載の無線通信装置。
【請求項３】
前記情報復元手段は、連続する所定数のフレームにおいて検出された誤りビット位置に基づいて、所定の情報を復元することを特徴とする請求項１に記載の無線通信装置。
【請求項４】
前記第２の情報は、制御情報であることを特徴とする請求項１から３のいずれか一項に記載の無線通信装置。
【請求項５】
通信回線の通信品質を特定する品質特定手段と、
送信するべき第１の情報を符号化して符号化情報を生成する符号化手段と、
前記通信品質に応じて、前記第１の情報を符号化した前記符号化情報に対して情報の誤りを加えることにより前記第１の情報に対して送信するべき第２の情報を合成した送信情報を生成する情報合成手段と、
前記送信情報を送信する送信手段と
を備えたことを特徴とする無線送信装置。
【請求項６】
無線送信装置から送信された送信情報を受信する受信手段と、
前記受信手段により受信した前記送信情報を復号することにより、前記送信情報の誤りを検出する誤り検出手段と、
前記誤り検出の結果に基づいて、前記送信情報中に合成されている第２の情報を復元する情報復元手段と、
前記誤り検出の結果に基づいて、誤りを訂正することにより前記送信情報中に合成されている第１の情報を復元する誤り訂正手段と
を備えたことを特徴とする無線受信装置。
【請求項７】
通信端末装置と、該通信端末装置との間で無線通信回線を確立する基地局装置とからなる無線通信システムにおける基地局装置であって、
前記無線通信回線の通信品質を特定する品質特定手段と、
送信するべき第１の情報を符号化して符号化情報を生成する符号化手段と、
前記通信品質に応じて、前記第１の情報を符号化した前記符号化情報に対して情報の誤りを加えることにより前記第１の情報に対して送信するべき第２の情報を合成した送信情報を生成する情報合成手段と、
前記送信情報を送信する送信手段と
を備えたことを特徴とする基地局装置。
【請求項８】
通信端末装置と、該通信端末装置との間で無線通信回線を確立する基地局装置とからなる無線通信システムにおける通信端末装置であって、
前記基地局装置から送信された送信情報を受信する受信手段と、
前記受信手段により受信した送信情報を復号することにより、前記送信情報の誤りを検出する誤り検出手段と、
前記誤り検出の結果に基づいて、前記送信情報中に合成されている第２の情報を復元する情報復元手段と、
前記誤り検出の結果に基づいて、誤りを訂正することにより前記送信情報中に合成されている第１の情報を復元する誤り訂正手段と
を備えたことを特徴とする通信端末装置。
【請求項９】
通信回線の通信品質を特定する品質特定ステップと、
送信するべき第１の情報を符号化して符号化情報を生成する符号化ステップと、
前記通信品質に応じて、前記第１の情報を符号化した符号化情報に対して情報の誤りを加えることにより前記第１の情報に対して送信するべき第２の情報を合成した送信情報を生成する情報合成ステップと、
前記送信情報を送信する送信ステップと、
前記送信ステップにより送信された前記送信情報を受信する受信ステップと、
前記受信ステップにより受信した前記送信情報を復号することにより、前記送信情報の誤りを検出する誤り検出ステップと、
前記誤り検出の結果に基づいて、前記第２の情報を復元する情報復元ステップと、
前記誤り検出の結果に基づいて、誤りを訂正することにより前記第１の情報を復元する誤り訂正ステップと
を有することを特徴とする無線通信方法。
【発明の詳細な説明】
【技術分野】
【０００１】
本発明は、誤り訂正処理を使用して情報の送信を行う無線通信装置及び無線通信方法に関する。
【背景技術】
【０００２】
従来から、一般に無線通信によるデータ伝送の品質を高めるために、伝送途中で生じる伝送データの誤りを訂正する誤り訂正技術が適用されている。この誤り訂正技術は、データに誤り訂正符号を付加して伝送し、受信装置において、この誤り訂正符号に基づいて、伝送途中で生じた伝送データの誤りを訂正するものである。
しかしながら、従来の誤り訂正技術は、送信するべき情報であるデータに対して冗長な誤り訂正符号を付加するため、誤り訂正能力を高めるためには付加する冗長ビットが多くなり情報の伝送効率は低下してしまう場合がある。また、回線品質の良い場所であるにも関わらず一律固定の誤り訂正符号を適用していたため、付加した冗長ビットにより情報ビットの伝送効率が低下するという問題がある。
【０００３】
このような問題を解決するために、個々の移動局及び基地局間の回線品質を測定し、この回線品質に対応した誤り訂正符号の符号化率を制御することにより、無線区間のトラフィックを適正な伝送効率でダイナミックに管理することができるようにした移動体通信の誤り訂正制御方式が知られている（例えば、特許文献１参照）。この誤り訂正制御方式は、移動局装置からの下り回線品質報告及びこの下り回線品質報告を受信する基地局装置からの上り回線品質報告を、回線制御局装置自体が有する管理テーブルで管理することにより、通信における上り、下り回線の誤り訂正符号化率をリアルタイムで変えるようにしたものである。
【特許文献１】特開２００３−１８８８５５号公報
【発明の開示】
【発明が解決しようとする課題】
【０００４】
ところで、誤り訂正符号を用いた情報通信は、伝送路において誤りビットが発生すると、再送要求をすることなく受信側において誤り訂正を行うことができるため、無線通信のように、通信品質が変化しやすい伝送路を使用する場合には有効な手段である。
しかしながら、使用中の伝送路の通信品質が高品質である場合、誤り訂正符号による冗長ビットは無駄になってしまうという問題がある。
【０００５】
本発明は、このような事情に鑑みてなされたもので、無線通信の資源を有効利用して、送信するべき情報に対して、異なる情報を加えて情報送信することが可能な無線通信装置及び無線通信方法を提供することを目的とする。
【課題を解決するための手段】
【０００６】
本発明は、通信回線の通信品質を特定する品質特定手段と、送信するべき第１の情報を符号化して符号化情報を生成する符号化手段と、前記通信品質に応じて、前記第１の情報を符号化した前記符号化情報に対して情報の誤りを加えることにより前記第１の情報に対して送信するべき第２の情報を合成した送信情報を生成する情報合成手段と、前記送信情報を送信する送信手段と、前記送信手段により送信された前記送信情報を受信する受信手段と、前記受信手段により受信した前記送信情報を復号することにより、前記送信情報の誤りを検出する誤り検出手段と、前記誤り検出の結果に基づいて、前記第２の情報を復元する情報復元手段と、前記誤り検出の結果に基づいて、誤りを訂正することにより前記第１の情報を復元する誤り訂正手段とを備えたことを特徴とする。
【０００７】
本発明は、前記情報復元手段は、誤りが検出されたビット位置に基づいて、所定の情報を復元することを特徴とする。
【０００８】
本発明は、前記情報復元手段は、連続する所定数のフレームにおいて検出された誤りビット位置に基づいて、所定の情報を復元することを特徴とする。
【０００９】
本発明は、前記第２の情報は、制御情報であることを特徴とする。
【００１０】
本発明は、通信回線の通信品質を特定する品質特定手段と、送信するべき第１の情報を符号化して符号化情報を生成する符号化手段と、前記通信品質に応じて、前記第１の情報を符号化した前記符号化情報に対して情報の誤りを加えることにより前記第１の情報に対して送信するべき第２の情報を合成した送信情報を生成する情報合成手段と、前記送信情報を送信する送信手段とを備えたことを特徴とする。
【００１１】
本発明は、無線送信装置から送信された送信情報を受信する受信手段と、前記受信手段により受信した前記送信情報を復号することにより、前記送信情報の誤りを検出する誤り検出手段と、前記誤り検出の結果に基づいて、前記送信情報中に合成されている第２の情報を復元する情報復元手段と、前記誤り検出の結果に基づいて、誤りを訂正することにより前記送信情報中に合成されている第１の情報を復元する誤り訂正手段とを備えたことを特徴とする。
【００１２】
本発明は、通信端末装置と、該通信端末装置との間で無線通信回線を確立する基地局装置とからなる無線通信システムにおける基地局装置であって、前記無線通信回線の通信品質を特定する品質特定手段と、送信するべき第１の情報を符号化して符号化情報を生成する符号化手段と、前記通信品質に応じて、前記第１の情報を符号化した前記符号化情報に対して情報の誤りを加えることにより前記第１の情報に対して送信するべき第２の情報を合成した送信情報を生成する情報合成手段と、前記送信情報を送信する送信手段とを備えたことを特徴とする。
【００１３】
本発明は、通信端末装置と、該通信端末装置との間で無線通信回線を確立する基地局装置とからなる無線通信システムにおける通信端末装置であって、前記基地局装置から送信された送信情報を受信する受信手段と、前記受信手段により受信した送信情報を復号することにより、前記送信情報の誤りを検出する誤り検出手段と、前記誤り検出の結果に基づいて、前記送信情報中に合成されている第２の情報を復元する情報復元手段と、前記誤り検出の結果に基づいて、誤りを訂正することにより前記送信情報中に合成されている第１の情報を復元する誤り訂正手段とを備えたことを特徴とする。
【００１４】
本発明は、通信回線の通信品質を特定する品質特定ステップと、送信するべき第１の情報を符号化して符号化情報を生成する符号化ステップと、前記通信品質に応じて、前記第１の情報を符号化した符号化情報に対して情報の誤りを加えることにより前記第１の情報に対して送信するべき第２の情報を合成した送信情報を生成する情報合成ステップと、前記送信情報を送信する送信ステップと、前記送信ステップにより送信された前記送信情報を受信する受信ステップと、前記受信ステップにより受信した前記送信情報を復号することにより、前記送信情報の誤りを検出する誤り検出ステップと、前記誤り検出の結果に基づいて、前記第２の情報を復元する情報復元ステップと、前記誤り検出の結果に基づいて、誤りを訂正することにより前記第１の情報を復元する誤り訂正ステップとを有することを特徴とする。
【発明の効果】
【００１５】
本発明によれば、通信に誤り訂正符号を用いており、伝送路の通信品質が高品質であると判定された場合、送信側で意図的に誤ったデータを送信し、受信側では受信したデータから第１の情報を復元するとともに、誤りビットの位置から第２の情報を得るようにしたため、無線通信の資源を有効活用することができるという効果が得られる。特に、送信するべき情報を送信しつつ、制御情報等を同時に送信することができるため、制御情報等の送信を行うために特別な制御チャネル使用することなく送信することが可能になるという効果が得られる。
【発明を実施するための最良の形態】
【００１６】
以下、本発明の一実施形態による無線通信装置を図面を参照して説明する。図１は同実施形態の構成を示すブロック図である。ここでは、無線通信装置の一例として、移動通信システムにおける基地局装置と通信端末装置を例にして説明する。なお、ここでは、上りと下りに同一周波数を使用しているＴＤＤ方式を使用しているものとし、上りの回線品質状態を下りにも適用できるものとする。この図において、符号１は、移動通信システムにおける基地局装置（以下、基地局と称する）である。符号２は、基地局１との間で無線通信を確立して情報通信を行う通信端末装置（以下、通信端末と称する）である。符号３は、基地局１が接続されるネットワークである。
【００１７】
符号１１は、基地局１の処理動作を統括して制御する制御部である。符号１２は、通信端末２との間で無線通信を行うための無線信号の授受を行う無線通信部である。符号１３は、各通信端末２のそれぞれとの間で確立した通信回線（伝送路）の通信品質を特定するために、無線通信部１２において受信した信号の状態に基づいて、通信回線の品質を特定し、通信品質の状態を示す状態値を出力する通信品質特定部である。符号１４は、通信端末２に対して情報送信するために、ネットワーク３を介して取得した情報を記憶する情報記憶部である。符号１５は、情報記憶部１４に記憶されている情報を通信端末２に送信する処理を行う情報送信部である。符号１６は、通信端末２に対して送信するべき情報の誤り訂正を行うために、送信するべき情報の符号化を行う符号化部である。
【００１８】
符号２１は、通信端末２の処理動作を統括して制御する制御部である。符号２２は、基地局１との間で無線通信を行うための無線信号の授受を行う無線通信部である。符号２３は、基地局１の符号化部１６において符号化された情報を、誤り訂正を行うために復号化する復号部である。符号２４は、符号化された情報に付与された冗長ビットに基づいて、受信した情報の誤りを検出する誤り検出部である。符号２５は、誤り検出部２４における誤り検出結果に基づいて、誤り訂正を行う誤り訂正部である。符号２６は、誤り訂正部２５において誤りが訂正された情報を記憶する情報記憶部である。
【００１９】
次に、図２を参照して、図１に示す基地局１が通信端末２に対して情報を送信する動作を説明する。ここでは、基地局１は、通信端末２に対して、情報記憶部１４に記憶されている情報（第１の情報）を送信するとともに、通信端末の送信電力を制御する制御データ（第２の情報）を通信端末２に対して送信するものとして説明する。
【００２０】
まず、通信端末２との通信が開始されると、制御部１１は、無線通信部１２を介して、通信端末２に対して、最大電力による送信を行うことを指示する制御データを送信する（ステップＳ１）。続いて、制御部１１は、通信品質特定部１３から出力される通信品質を特定する状態値が所定値以上であるか否かを判定することにより、通信端末２との間の伝送路高品質状態であるか否かを判定する（ステップＳ２）。この判定の結果、伝送路が高品質状態である場合、制御部１１は、情報記憶部１４に記憶されている情報を読み出し、情報送信部１５へ出力する。これを受けて、情報送信部１５は、制御部１１から出力された情報に送信先のヘッダを付加して、符号化部１６へ出力する。符号化部１６は、情報送信部１５から出力された情報に対して、誤り訂正を行うための符号化処理を施し、符号化された情報を内部に保持するとともに、符号化処理が終了したことを制御部１１へ通知する。
【００２１】
これを受けて制御部１１は、符号化された情報のビット列のうち、特定の位置のビットを反転することにより、意図的に誤りを加える。この処理によって、符号化部１６内には、情報記憶部１４に記憶されていた情報を符号化した情報（第１の情報）に対して、意図的に特定位置のビットが誤っている状態（第２の情報）になっている送信するべき情報（送信情報）が生成されたことになる。特定位置のビットが誤っている状態により表現される情報は、通信端末２に対して、省電力による送信を行うことを指示する制御データである。制御部１１は、符号化部１６に対して、内部に保持している送信するべき情報を送信させる指示を出力する。これを受けて、符号化部１６は、無線通信部１２を介して、内部に保持している情報を送信する。これにより、通信端末２に対して、情報記憶部１４に記憶されている情報に対して、送信電力を省電力にして送信を行うことを指示する制御データが合成されて送信されることになる（ステップＳ３）。そして、制御部１１は、特定位置のビットを意図的に誤らせた情報を連続して３フレーム分送信する。通信端末２においては、特定位置のビットを意図的に誤らせたフレームが連続して３フレーム分受信された場合に、電力を省電力にして送信を行うことを指示する制御データが送られたものと認識する。
【００２２】
一方、通信端末２との間の伝送路高品質状態でない場合、制御部１１は、情報記憶部１４に記憶されている情報を読み出し、情報送信部１５へ出力する。これを受けて、情報送信部１５は、制御部１１から出力された情報に送信先のヘッダを付加して、符号化部１６へ出力する。符号化部１６は、情報送信部１５から出力された情報に対して、誤り訂正を行うための符号化処理を施し、符号化された情報を内部に保持するとともに、符号化処理が終了したことを制御部１１へ通知する。
【００２３】
これを受けて制御部１１は、符号化部１６に対して、内部保持している送信するべき情報を送信させる指示を出力する。これを受けて、符号化部１６は、無線通信部１２を介して、内部に保持している情報を送信する。これにより、通信端末２に対して、情報記憶部１４に記憶されている情報に、送信電力を最大電力にして送信を行うことを指示する制御データが合成されて送信されることになる（ステップＳ４）。送信電力を最大電力にして送信を行うことを指示する制御データは、特定位置のビットを誤らせない状態で表現したデータある。したがって、通信端末２においては、特定位置のビットを意図的に誤らせたフレームが連続して３フレーム分受信されない場合に、電力を最大電力にして送信を行うことを指示する制御データが送られたものと認識する。
【００２４】
次に、制御部１１は、ステップＳ２〜Ｓ４の処理を通信が終了するまで繰り返す（ステップＳ５）。これにより、情報記憶部１４に記憶されている情報を送信しながら、特別な制御チャネルを使用することなく送信電力の制御データを通信端末２に対して送信することができる。
【００２５】
次に、図３を参照して、図１に示す通信端末２が基地局１から情報を受信する動作を説明する。まず、基地局１との通信が開始されると、制御部２１は、送信電力を最大電力にして送信を行う（ステップＳ１１）。続いて、無線通信部２２は、基地局１から送信された情報を受信し、受信した情報を復号部２３の誤り検出部２４へ出力する。これを受けて、誤り検出部２４は、受信した情報を復号化することにより、受信した情報のビット誤りを検出し、誤り検出されたビット位置の情報を制御部２１へ出力する。また、誤り検出部２４は、誤り検出結果と受信した情報を誤り訂正部２５へ出力する。これを受けて、誤り訂正部２５は、誤り検出結果に基づいて、受信した情報の誤りビットを訂正することにより、基地局１が送信した情報を復元し、復元した情報を情報記憶部２６へ記憶する。
【００２６】
一方、制御部２１は、誤り検出部２４から出力されたビット位置の情報に基づいて、誤りが検出されたビット位置が予め決められた位置であったか否かにより、特定ビットのみの誤りが検出されたか否かを判定する（ステップＳ１２）。この判定の結果、特定の位置のビット誤りでなければ、送信電力の制御データは送信されていないものと見なし、制御部２１は、無線通信部２２に対して、最大電力で送信を行う指示を出力する（ステップＳ１５）。
【００２７】
次に、ビット誤り位置が予め決められた位置であった場合、制御部２１は、ビット誤り位置が予め決められた位置であるフレームが連続して３フレーム受信されたか否かにより特定のビット誤りが３回連続したか否かを判定する（ステップＳ１３）。この判定の結果、特定のビット誤りが３回連続していなければ、送信電力の制御データは送信されていないものと見なし、制御部２１は、無線通信部２２に対して、最大電力で送信を行う指示を出力する（ステップＳ１５）。一方、特定のビット誤りが３回連続していた場合、制御部２１は、送信電力の制御データは送信されたものと見なし、制御部２１は、無線通信部２２に対して、省電力で送信を行う指示を出力する（ステップＳ１４）。
【００２８】
次に、制御部２１は、ステップＳ１２〜Ｓ１５の処理を通信が終了するまで繰り返す（ステップＳ１６）。これにより、情報記憶部１４に記憶されている情報を受信しながら、特別な制御チャネルを使用することなく送信された電力の制御データに基づいて、送信電力の制御を行うことができる。
【００２９】
次に、図４を参照して、基地局１と通信端末２との間で情報の授受を行う動作を説明する。ここでは、通信に用いる誤り訂正符号は１フレームあたり２ｂｉｔの誤りデータを訂正できるものとする。この通信において、基地局１は、通信品質特定部１３が出力する通信品質の状態値に基づいて、通信回線が高品質（誤っても稀に１フレームあたり１ｂｉｔ）であるか否かを判定することができるものとする。また、基地局１は、この通信中に通信端末２のバッテリの電力消費量を減らすために通信端末に対して送信電力を落とす制御を行うものとする。なお、上り（通信端末２から基地局１への送信）と下り（基地局１から通信端末２への送信）に同一周波数を使用しているものとし、通信品質特定部１３が出力した上りの回線品質状態値がそのまま下りの通信にも適応できるものとする。
【００３０】
図４において、符号Ｄ１〜Ｄ１２は、上りまたは下りの通信におけるフレームデータを表している。フレームデータは、基地局１と通信端末２間において同期を取るための同期パターンデータと、送信するべき情報である情報ビットと、誤り訂正を行うための冗長ビットとから構成されている。
【００３１】
まず、基地局１は、意図的にビット誤りを加えないフレームデータＤ１を通信端末２へ送信する。このフレームデータＤ１の情報ビット部分には、基地局１が通信端末２に対して、送信するべき情報が格納されている。通信端末２は、受信したフレームデータＤ１中に特定位置のビット誤りが検出されないため、最大送信電力によりフレームデータＤ２を基地局１へ送信する。基地局１は、このフレームデータＤ２を受信した状態に基づいて、伝送路の通信品質を特定する。この通信品質が高品質であることが確認されると、基地局１は、情報ビット（送信するべき情報を符号化したデータ）の特定位置のビットを反転させた（誤りを加えた）フレームデータＤ３を通信端末２へ送信する。
【００３２】
通信端末２は、受信したフレームデータＤ３中に特定位置のビット誤りが検出されたため、特定ビットの誤りが検出されたことを内部に保持する。そして、基地局１から特定ビットの誤りが加えられたフレームデータＤ５、Ｄ７が送信されると、通信端末２は、連続する３フレーム中に特定ビットの誤りが検出されたため、送信電力を省電力に切り換える制御データが送信されたものと見なし、送信電力を省電力に切り換える。
【００３３】
次に、基地局１は、通信端末２が省電力状態で送信したフレームデータＤ１０を受信した状態に基づいて、伝送路の通信品質を特定し、通信品質が高品質でないことが確認されると、意図的にビット誤りを加えないフレームデータＤ１１を通信端末２へ送信する。通信端末２は、受信したフレームデータＤ１１中に特定位置のビット誤りが検出されないため、最大送信電力によりフレームデータＤ１２を基地局１へ送信する。
【００３４】
このように、基地局１が送信するべきフレームデータ内の特定ビットを常に誤らせて送信することにより通信端末２に対して送信電力を落とす制御を行うための制御情報を伝達することができる。通信端末２では受信したフレームデータを復元して受信データを処理するとともに、フレーム内の特定ビットが常に誤っていることを認識することによって送信電力を落とす制御を行うことができる。
【００３５】
前述した説明において、通信に用いるデータのフレーム内の情報ビットと冗長ビットの和を１６０ｂｉｔとし、送信周期を５ｍｓとし、伝送路における通信品質を１フレーム当たり１ｂｉｔの誤りが発生するものとすると、伝送路の影響により３フレーム連続してある特定のビットに誤りが発生する確率は、１／１６０３＝１／４０９６０００となり、これは意図的に送信側で誤ったデータを送信しているとみなしても問題ないレベルである。したがって、通信端末は、５ｍｓ×３フレーム＝１５ｍｓとなり、１５ｍｓ後に制御情報が伝達されることになる。
【００３６】
次に、図５、図６を参照して、基地局１が通信端末２に対して送信する制御情報（第２の情報）の表現方法の変形例を説明する。
図５は、情報ビット部分の特定位置のビットに誤りが検出され、かつ同位置における誤りビット検出が連続して３フレーム受信した場合に、制御情報が送信されたものと見なす例であり、ビット位置を制御の種類毎に異なるようにした例である。例えば、情報ビット部分の第１ビットの誤りが３回連続した場合は、前述したように、送信電力の制御を行い、情報ビット部分の第ｎビット（例えば、第１０ビット）の誤りが３回連続した場合は、送信電力の制御とは異なる制御を行うという制御情報として利用することができる。
【００３７】
また、図６は、情報ビット部分の誤りビット位置の組み合わせによって、情報が持つ意味を変えるようにした例である。例えば、第１フレームの第１ビット、第２フレームの第２ビット、第３フレームの第３ビットというように、連続する３フレーム中の誤りビット位置の組み合わせを制御の種類毎に異なるようにした例である。
【００３８】
また、図５、６においては、連続する３フレームによって、情報を認識する例を示したが、連続する２フレーム、または連続する４フレーム以上のフレームによって情報を認識するようにしてもよい。
【００３９】
このように、通信に誤り訂正符号を用いており、伝送路の通信品質が高品質であると判定された場合、送信側で意図的に誤ったデータを送信し、受信側では受信したデータを復元するとともに誤りビットの位置から別の情報を得るようにしたため、無線通信の資源を有効活用することができる。特に、送信するべき情報を送信しつつ、制御情報を同時に送信することができるため、制御情報等の送信を行うために特別な制御チャネル使用することなく制御情報を送信することが可能になる。また、誤り訂正符号を用いた通信回路を改良することなく使用できるため、容易に送信できる情報量を増やすことが可能となる。
【００４０】
なお、前述した説明においては、基地局と通信端末による通信システムとして説明したが、本発明による情報送信は、誤り訂正符号を用いて誤り訂正を行うことができる機能を有している無線通装置であれば基地局と通信端末との通信に限らず適用可能である。
【００４１】
また、本発明の通信端末は、移動通信を使用した携帯電話機や移動通信機能を有した携帯情報端末（ＰＤＡ）、モバイル端末、カーナビ装置などを含むものである。
【００４２】
なお、図１における処理部の機能を実現するためのプログラムをコンピュータ読み取り可能な記録媒体に記録して、この記録媒体に記録されたプログラムをコンピュータシステムに読み込ませ、実行することにより情報送信処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４４】
【図１】本発明の一実施形態の構成を示すブロック図である。
【図２】図１に示す基地局１の動作を示すフローチャートである。
【図３】図１に示す通信端末の動作を示すフローチャートである。
【図４】図１に示す基地局１と通信端末２との間の通信動作を示すシーケンス図である。
【図５】誤り訂正による情報通信の動作を示す説明図である。
【図６】誤り訂正による情報通信の動作を示す説明図である。
【符号の説明】
【００４５】
１・・・基地局、１１・・・制御部、１２・・・無線通信部、１３・・・通信品質特定部、１４・・・情報記憶部、１５・・・情報送信部、１６・・・符号化部、２・・・通信端末、２１・・・制御部、２２・・・無線通信部、２３・・・復号部、２４・・・誤り検出部、２５・・・誤り訂正部、２６・・・情報記憶部、３・・・ネットワーク
【図１】
2007202070.tif 000003
【図２】
2007202070.tif 000004
【図３】
2007202070.tif 000005
【図４】
2007202070.tif 000006
【図５】
2007202070.tif 000007
【図６】
2007202070.tif 000008